(57)【要約】【課題】フラットケーブルの保持力を低下することなく簡単な構造としてコストダウンを図り、且つ取付位置に融通性を有するフラットケーブル用クランプおよびフラットケーブルの支持方法並びにワイヤハーネスを提供する。【解決手段】ベース部１１に直立して設けられている保持部１２によりフラットケーブル１２０の絶縁被覆部１２２に設けられている係止穴１２３を貫通し、保持部１２先端の係止爪１２ａが電線１２１を係止する。フラットケーブル１２０を引き抜こうとすると、係止爪１２ａが電線１２１に当たるため保持部１２を係止爪のない方向へ押すが、となりの電線１２１に当接して移動することができない。このため、係止穴１２３を貫通している保持部１２は係止穴１２３から抜けない。また、クリップ１４はベース部１１から張り出すアーム部１４の下面に設けられているため、アーム部１５が変形して容易に被取付け部に取り付けることができる。【選択図】　　　　図１
2004104964.tif 000002
【特許請求の範囲】
【請求項１】
複数の電線間を絶縁被覆部により連結されたフラットケーブルを、被取付け部に取付けるためのフラットケーブル用クランプであって、
前記フラットケーブルを支持するベース部と、
前記ベース部から張り出すと共に、被取付け部に設けられている取付穴に取付けられるクリップを先端部下面に備えたアーム部と、
前記フラットケーブルの絶縁被覆部に設けられている係止穴を貫通すべく前記ベース部の支持面に対して略直立し且つ前記フラットケーブルの幅方向に前記絶縁被覆部のピッチ間隔で設けられている少なくとも一対の保持部とを有し、
隣り合う前記保持部のうち片方の保持部の先端にのみ係止爪を他方の保持部側に突設したこと、を特徴とするフラットケーブル用クランプ。
【請求項２】
前記係止爪を突設した保持部の当該係止爪を設けてない側面に上下方向に沿って凸部を設けたことを特徴とする請求項１に記載したフラットケーブル用クランプ。
【請求項３】
複数の電線間を絶縁被覆部により連結されたフラットケーブルを、被取付け部に取付けるためのフラットケーブル用クランプであって、
前記フラットケーブルを支持するベース部と、
前記ベース部から張り出すと共に、被取付け部に設けられている取付穴に取付けられるクリップを先端部下面に備えたアーム部と、
前記フラットケーブルの絶縁被覆部に設けられている係止穴を貫通すべく前記ベース部の支持面に対して略直立して設けられた保持部と、
前記ベース部に設けられ、当該ベース部に載置されたフラットケーブルの電線を少なくとも１本内包して先端が前記保持部に係止されるベルト部と、
前記保持部の先端部で少なくとも前記ベルト部とは反対側に係止爪を突設したこと、を特徴とするフラットケーブル用クランプ。
【請求項４】
複数の電線間を絶縁被覆部により連結されたフラットケーブルを、被取付け部に取付けるためのフラットケーブルの支持方法であって、
前記フラットケーブルの前記絶縁被覆部に設けられている係止穴に、ベース部に直立して設けられている少なくとも一対の保持部を通し、
隣り合う前記保持部のうちの片方の保持部の先端にのみ突設された係止爪により前記フラットケーブルの電線を係止した後、
前記ベース部から張り出して設けられているアーム部の先端部下面のクリップを、前記被取付け部の取付穴に取付けることを特徴とするフラットケーブルの支持方法。
【請求項５】
前記保持部の係止爪により係止されているフラットケーブルを引き抜こうとすると、前記保持部の前記係止爪が設けられていない側面に上下方向に沿って設けられている凸部が当該保持部が撓むのを阻止して前記電線が抜けるのを防止することを特徴とする請求項４に記載したフラットケーブルの支持方法。
【請求項６】
複数の電線間を絶縁被覆部により連結されたフラットケーブルを、被取付け部に取付けるためのフラットケーブルの支持方法であって、
前記フラットケーブルの前記絶縁被覆部に設けられている係止穴に、ベース部に直立して設けられている保持部を通し、
前記ベース部に設けられているベルト部により前記フラットケーブルの電線を少なくとも１本内包して先端を前記保持部により係止した後、
前記ベース部から張り出して設けられているアーム部の先端部下面のクリップを、前記被取付け部の取付穴に取付けることを特徴とするフラットケーブルの支持方法。
【請求項７】
複数の電線間を連結する絶縁被覆部に長手方向に沿って所定ピッチで係止穴を有するフラットケーブルと、
前記フラットケーブルの係止穴に、請求項１から３のいずれかに記載したフラットケーブル用クランプを所定ピッチで取付けたことを特徴とするワイヤハーネス。
【発明の詳細な説明】
【０００１】
【発明の属する技術分野】
この発明は、自動車等に取付けられるフラットケーブル用クランプおよびフラットケーブルの支持方法並びにワイヤハーネスに関する。
【０００２】
【従来の技術】
従来のフラットケーブルを自動車の車体等に取付けるフラットケーブル用クランプとしては、図１０に示すようなものがある（例えば、特許文献１参照。）。
【０００３】
図１０に示すフラットケーブル用クランプとしてのクランプ１００は、自動車の車体等の固定部に固定されるベース部１０１と、このベース部１０１にヒンジ１０２を介して一体成型されたカバー部１１０とから構成される。
このクランプ１００は、フラットケーブル１２０の長手方向に所定のピッチで複数設けられ、それぞれが固定部に固定されることにより、フラットケーブル１２０を車体等に固定するものである。
【０００４】
ベース部１０１は、フラットケーブル１２０の一部を収容する収容部１０３と、この収容部１０３の外周側に設けられたクリップ１０４とで形成されている。収容部１０３の底壁１０５は、矩形板状で中心部に穴１０６が貫通して形成されている。
また、底壁１０５の両端には、側壁１０７、１０７が設けられている。なお、この収容部１０３内の底壁１０５には、係止突起１０８が突設されている。
【０００５】
収容部１０３の一方の側壁１０７の外側面には、ロック突起１０９が設けられており、カバー部１１０に設けられているロックアーム１１１と係合して、カバー部１１０を閉じた状態でロックするようになっている。
さらに、カバー部１１０のカバー本体１１２には、中央部に挿通穴１１３が貫通して設けられており、カバー本体１１２をベース部１０１の上方に閉じた際に、ベース部１０１の係止突起１０８の先端が貫通可能となっている。挿通穴１１３を挟んで両側には、一対の弾性押圧部材１１４が設けられている。
この弾性押圧部材１１４は、フラットケーブル１２０の取付方向に直交する方向に上下方向に回動自在に設けられており、互いに対向する方向に設けられて、中央側が自由端となっている。
【０００６】
一方、フラットケーブル１２０を構成する複数本の電線１２１間の絶縁被覆部１２２には、フラットケーブル１２０係止用の係止穴１２３が、フラットケーブル１２０の長手方向に長く設けられている。
【０００７】
従って、フラットケーブル１２０の係止穴１２３に、収容部１０３の係止突起１０８を挿通してフラットケーブル１２０を収容部１０３の底壁１０５に載置し、カバー部１１０をヒンジ１０２を中心として図１０中矢印方向へ回動してフラットケーブル１２０の上に被せて、収容部１０３のロック突起１０９をロックアーム１１１によりロックする。これにより、カバー部１１０の一対の弾性押圧部材１１４がフラットケーブル１２０を押圧して挟んだ状態でカバー部１１０が固定される。
【０００８】
その後、クリップ１０４の車体の所望の位置に設けられている係止穴に押し込んで係止し、フラットケーブル１２０を支持する。
【０００９】
【特許文献１】
特開２００２−１０４５２号公報（第３−４頁、第１図）
【００１０】
【発明が解決しようとする課題】
しかしながら、前述したフラットケーブル用クランプでは、構造が複雑であり、コストが高いという問題がある。
また、被取付け部に取付けるクリップ１０４位置がフラットケーブル１２０に対して固定されているため、フラットケーブル１２０を被取付け部に取付ける際にクランプ１００のフラットケーブル１２０に対する取付位置精度が要求されるという問題がある。
【００１１】
本発明は、前述した問題点に鑑みてなされたものであり、その目的は、フラットケーブルの保持力を低下することなく簡単な構造としてコストダウンを図り、且つ取付位置に融通性を有するフラットケーブル用クランプおよびフラットケーブルの支持方法並びにワイヤハーネスを提供することにある。
【００１２】
【課題を解決するための手段】
前述した目的を達成するために、本発明にかかるフラットケーブル用クランプは、請求項１に記載したように、複数の電線間を絶縁被覆部により連結されたフラットケーブルを、被取付け部に取付けるためのフラットケーブル用クランプであって、前記フラットケーブルを支持するベース部と、前記ベース部から張り出すと共に、被取付け部に設けられている取付穴に取付けられるクリップを先端部下面に備えたアーム部と、前記フラットケーブルの絶縁被覆部に設けられている係止穴を貫通すべく前記ベース部の支持面に対して略直立し且つ前記フラットケーブルの幅方向に前記絶縁被覆部のピッチ間隔で設けられている少なくとも一対の保持部とを有し、隣り合う前記保持部のうち片方の保持部の先端にのみ係止爪を他方の保持部側に突設したこと、を特徴としている。
【００１３】
このように構成されたフラットケーブル用クランプにおいては、ベース部に直立して設けられている保持部によりフラットケーブルの絶縁被覆部に設けられている係止穴を貫通し、保持部先端の係止爪が電線を係止する。
従って、フラットケーブルをクランプから一度に引き抜こうとすると、係止爪が電線に当たるため保持部を係止爪のない方向へ押して変形させようとするが、保持部の係止爪のない側面がとなりの電線に当接して移動することができない。
【００１４】
このため、係止穴を貫通している保持部は係止穴から抜けることがなく、フラットケーブルを引っ張ったときに抜けない部分が少なくとも１箇所あるため、フラットケーブルは確実にクランプに支持されることになる。
なお、クランプに設けられているクリップはベース部から張り出すアーム部の下面に設けられているため、クリップ取付位置が調整可能になり、被取付け部の取付穴の位置からずれている場合でも、アーム部が変形して被取付け部に取り付けることができる。
【００１５】
また、本発明にかかるフラットケーブル用クランプは、請求項２に記載したように、請求項１に記載したフラットケーブル用クランプにおいて、前記係止爪を突設した保持部の当該係止爪を設けてない側面に上下方向に沿って凸部を設けたことを特徴としている。
【００１６】
このように構成されたフラットケーブル用クランプにおいては、フラットケーブルを引っ張って保持部から取り外そうとすると、係止爪が設けられていない側の保持部側面に設けられている凸部が隣の電線に当接するため保持部は移動しない。このため、保持部の係止爪は電線から外れないので、フラットケーブルは外れないことになる。
【００１７】
また、本発明にかかるフラットケーブル用クランプは、請求項３に記載したように、複数の電線間を絶縁被覆部により連結されたフラットケーブルを、被取付け部に取付けるためのフラットケーブル用クランプであって、前記フラットケーブルを支持するベース部と、前記ベース部から張り出すと共に、被取付け部に設けられている取付穴に取付けられるクリップを先端部下面に備えたアーム部と、前記フラットケーブルの絶縁被覆部に設けられている係止穴を貫通すべく前記ベース部の支持面に対して略直立して設けられた保持部と、前記ベース部に設けられ、当該ベース部に載置されたフラットケーブルの電線を少なくとも１本内包して先端が前記保持部に係止されるベルト部とを有し、前記保持部の先端部で少なくとも前記ベルト部とは反対側に係止爪が突設されたことを特徴としている。
【００１８】
このように構成されたフラットケーブル用クランプにおいては、ベース部に直立して設けられている保持部によりフラットケーブルの絶縁被覆部に設けられている係止穴を貫通し、ベース部から設けられているベルト部が電線を少なくとも１本内包して先端が保持部先端の係止爪に係止される。係止爪は、ベルト部とは反対側に突設されているので、ベルト部を引っ張っても係止爪に係止されてベルト部は外れない。
従って、フラットケーブルをクランプから一度に引き抜こうとすると、少なくとも１本の電線がベルト部により保持されて外れないため、フラットケーブルがクランプから脱落するのを防止することができる。
なお、クランプに設けられているクリップはベース部から張り出すアーム部の下面に設けられているため、クリップ取付位置が調整可能になり、被取付け部の取付穴の位置からずれている場合でも、アーム部が変形して被取付け部に取り付けることができる。
【００１９】
また、本発明にかかるフラットケーブルの支持方法は、請求項４に記載したように、複数の電線間を絶縁被覆部により連結されたフラットケーブルを、被取付け部に取付けるためのフラットケーブルの支持方法であって、前記フラットケーブルの前記絶縁被覆部に設けられている係止穴に、ベース部に直立して設けられている少なくとも一対の保持部を通し、隣り合う前記保持部のうちの片方の保持部の先端にのみ突設された係止爪により前記フラットケーブルの電線を係止した後、前記ベース部から張り出して設けられているアーム部の先端部下面のクリップを、前記被取付け部の取付穴に取付けることを特徴としている。
【００２０】
このように構成されたフラットケーブルの支持方法においては、フラットケーブルの絶縁被覆部に設けられている係止穴に、クランプのベース部に直立して設けられている保持部を挿入してフラットケーブルを固定する。このとき、もしフラットケーブルに何らかの理由で引っ張り力が作用してクランプから取り外そうとしても、保持部の先端に設けられている係止爪により係止されるので、フラットケーブルは脱落しない。さらに強く引っ張り力が作用すると、フラットケーブルが係止爪を介して保持部を変形させようとするが、保持部において係止爪が設けられていない側面が隣の電線に当接して保持部の変形を阻止するので、保持部は係止穴から外れない。
また、クランプを介してフラットケーブルを被取付け部に取付ける際には、ベース部から張り出しているアーム部の先端下面に設けられているクリップを被取付け部の取付穴に取付けるので、フラットケーブルに取付けられているクランプのクリップ位置が、被取付け部の取付穴からずれていても、アームの変形により容易に取付けることができる。
【００２１】
また、本発明にかかるフラットケーブルの支持方法は、請求項５に記載したように、請求項４に記載したフラットケーブルの支持方法において、前記保持部の係止爪により係止されているフラットケーブルを引き抜こうとすると、前記保持部の前記係止爪が設けられていない側面に上下方向に沿って設けられている凸部が当該保持部が撓むのを阻止して前記電線が抜けるのを防止することを特徴としている。
【００２２】
このように構成されたフラットケーブルの支持方法においては、フラットケーブルの絶縁被覆部に設けられている係止穴に、保持部が係止された状態でフラットケーブルを取り外す方向に引っ張り力が作用すると、保持部を変形させようとする。
しかし、保持部において係止爪が設けられていない側面に設けられている凸部が、隣の電線に当接して保持部の変形を阻止するので、フラットケーブルはクランプから外れない。
【００２３】
また、本発明にかかるフラットケーブルの支持方法は、請求項６に記載したように、複数の電線間を絶縁被覆部により連結されたフラットケーブルを、被取付け部に取付けるためのフラットケーブルの支持方法であって、前記フラットケーブルの前記絶縁被覆部に設けられている係止穴に、ベース部に直立して設けられている保持部を通し、前記ベース部に設けられているベルト部により前記フラットケーブルの電線を少なくとも１本内包して先端を前記保持部により係止した後、前記ベース部から張り出して設けられているアーム部の先端部下面のクリップを、前記被取付け部の取付穴に取付けることを特徴としている。
【００２４】
このように構成されたフラットケーブルの支持方法においては、フラットケーブルの絶縁被覆部に設けられている係止穴に、クランプのベース部に直立して設けられている保持部を挿入し、フラットケーブルの電線を少なくとも１本内包するようにベース部に設けられているベルト部を巻きつけて保持部の先端に係止する。このとき、もしフラットケーブルに何らかの理由で引っ張り力が作用してクランプから取り外そうとしても、ベルト部が少なくとも１本の電線を保持しているので、フラットケーブルは外れない。
また、クランプを介してフラットケーブルを被取付け部に取付ける際には、ベース部から張り出しているアーム部の先端下面に設けられているクリップを被取付け部の取付穴に取付けるので、フラットケーブルに取付けられているクランプのクリップ位置が、被取付け部の取付穴からずれていても、アームの変形により容易に取付けることができる。
【００２５】
また、本発明にかかるワイヤハーネスは、請求項７に記載したように、複数の電線間を連結する絶縁被覆部に長手方向に沿って所定ピッチで係止穴を有するフラットケーブルと、前記フラットケーブルの係止穴に、請求項１から３のいずれかに記載したフラットケーブル用クランプを所定ピッチで取付けたことを特徴としている。
【００２６】
このように構成されたワイヤハーネスにおいては、一旦フラットケーブルの係止穴にクランパを取付けると、フラットケーブルを引っ張ってもクランパは外れない。
従って、クランパのクリップを被取付け部の取付穴に取付けることにより、ワイヤハーネスの配策を確実に行うことができる。
【００２７】
【発明の実施の形態】
以下、本発明に係るフラットケーブル用クランプおよびフラットケーブルの支持方法並びにワイヤハーネスの実施の形態を図面に基づいて詳細に説明する。なお、以下に説明する実施の形態において、既に図１０において説明した部材等については、図中に同一符号あるいは相当符号を付すことにより説明を簡略化あるいは省略する。
【００２８】
まず、本発明に係るフラットケーブル用クランプの第１実施形態について説明する。
図１はフラットケーブル用クランプ１０およびフラットケーブルの支持方法を示す分解斜視図、図２はフラットケーブル用クランプ１０にフラットケーブル１２０を取付けた状態を示す斜視図、図３（Ａ）は図２中ＩＩＩ−ＩＩＩ位置における断面図、図３（Ｂ）は図３（Ａ）の平面図、図４はフラットケーブル用クランプ１０がフラットケーブル１２０を保持する原理を示す断面図である。
【００２９】
図１および図２に示すように、フラットケーブル用クランプ１０は、フラットケーブル１２０を支持するベース部１１と、フラットケーブル１２０をベース部１１から外れないように保持する保持部１２と、フラットケーブル１２０をクランプ１０を介して被取付け部である自動車の車体等に設けられている取付穴に取付けるクリップ１３を有するアーム部１４とを備えている。
一方、フラットケーブル１２０の電線１２１間を連結する絶縁被覆部１２２には長手方向に、保持部１２を係止する係止穴１２３が設けられている。
【００３０】
保持部１２はベース部１１の支持面１１ａに対して略直立して設けられている平板状の柱部材であり、フラットケーブル１２０の幅方向に絶縁被覆部１２２のピッチ間隔（すなわち電線１２１のピッチと同じ。）で少なくとも一対（図１および図２においては２個）設けられている。
【００３１】
なお、図１および図２においては、フラットケーブル１２０の長手方向に２組の保持部１２が設けられているが、長手方向の組数は問わない。
また、保持部１２の長手方向の組数に応じて、フラットケーブル１２０の係止穴１２３の長さが決定される。ここでは、２組の保持部１２が係止できる長さとなっているが、各保持部１２が別個に係止されるようにしてもよい。
【００３２】
図３（Ａ）、（Ｂ）に示すように、保持部１２の先端には係止爪１２ａが突設されていて、隣り合う保持部１２の間には、片方の係止爪１２ａのみが突出するように配置されている。
従って、保持部１２間の１本の電線１２１を両側から係止爪１２ａにより係止している箇所はないが、図３中中央の電線１２１ｂのように隣接するどちらの保持部１２からの係止爪１２ａが突出していない箇所がある。
なお、図３（Ｂ）に示すように、保持部１２において係止爪１２ａが突設されていない側面には、凸部１２ｂを上下に沿って設けるようにするのが望ましい。
【００３３】
図３（Ａ）、（Ｂ）に示されている場合に、フラットケーブル１２０を上方へ引っ張ってクランプ１０から取り外そうとすると、図４に示されているように、両外側の電線１２１ａ、１２１ｃに上向きの力Ｐ１が作用するが、係止爪１２ａにより係止される。電線１２１ａ、１２１ｃは係止爪１２ａを上方へ押し上げようとするので、係止爪１２ａが設けられている保持部１２は図４中矢印で示すように共に中央側へ変形しようとする。
その結果、中央の電線１２１ｂを下方へ押し付ける力Ｐ３が作用することになるので、少なくとも中央の電線１２１ｂはクランプ１０から脱することはできない。
【００３４】
さらに、両保持部１２、１２の間には電線１２１ｂがあるため保持部１２、１２も変形することができず、その結果両外側の電線１２１ａ、１２１ｃは係止爪１２ａに係止されて、クランプ１０から取り外すことができない。
特に、保持部１２の係止爪１２ａを設けていない側面に凸部１２ｂを設けた場合には、凸部１２ｂが電線１２１に当接することにより保持部１２の変形を阻止するので、電線１２１は確実に保持された状態となる。
【００３５】
一方、図１および図２に示すように、ベース部１１の一方の側面１１ｂから舌状のアーム部１４が一体的に設けられている。アーム部１４の先端部下面には、クランプ１０を被取付け部の取付穴に取り付けるためのクリップ１３が取付けられている。なお、クリップ１３の形状は被取付け部の取付穴の形状等に対応して決定されるが、すでに知られている種々のものを使用することができる。
【００３６】
なお、保持部１２の係止爪１２ａの向きとしては、図３および図４に示したもののほか、図５（Ａ）から（Ｃ）に示すようなものが考えられる。すなわち、図５（Ａ）に示すクランプ１０Ａでは、２個の保持部１２においていずれも図中左向きに係止爪１２ａが設けられている。また、図５（Ｂ）に示すクランプ１０Ｂでは、左側の保持部１２にのみ係止爪１２ａが図中右向きに設けられている。また、図５（Ｃ）に示すクランプ１０Ｃでは、左側の保持部１２にのみ係止爪１２ａが図中右向きに設けられている。
【００３７】
図３（Ａ）に示したクランプ１０、あるいは上述した一連のクランプ１０Ａ、１０Ｂ、１０Ｃにおいては、いずれも保持部１２により係止されているフラットケーブル１２０を引っ張って取り外そうとすると、少なくとも１本の電線１２１が確実に保持されて引き抜くことができないため、結果的にフラットケーブル１２０を取り外すことができないようになっている。
【００３８】
以上、前述したフラットケーブル用クランプおよびフラットケーブルの支持方法によれば、複数本の電線１２１間を絶縁被覆部１２２で連結したフラットケーブル１２０の少なくとも１本の電線１２１は、クランプ１０の保持部１２および係止爪１２ａにより確実に保持されてクランプ１０から外れないので、確実にフラットケーブル１２０を保持することができる。
【００３９】
また、被取付部の取付穴に取り付けるクリップ１３が、アーム部１４の先端に設けられているので、フラットケーブル１２０を保持しているベース部１１の位置が取付位置から多少ずれていても、アーム部１４が誤差を吸収する。
このため、フラットケーブル１２０に複数のクランプ１０を所定ピッチで取付けて構成されているワイヤハーネス１５ａの配策を容易に行うことができる。
【００４０】
次に、本発明に係るフラットケーブル用クランプの第２実施形態について説明する。図６はフラットケーブル用クランプおよびフラットケーブルの支持方法を示す分解斜視図、図７はフラットケーブル用クランプにフラットケーブルを取付けた状態を示す斜視図、図８は図７中ＶＩＩＩ−ＶＩＩＩ位置における断面図である。
【００４１】
図６および図７に示すように、フラットケーブル用クランプ２０は、フラットケーブル１２０を支持するベース部２１と、フラットケーブル１２０をベース部２１から外れないように保持する保持部２２と、ベース部２１に設けられ、このベース部２１に載置されたフラットケーブル１２０の電線１２１を少なくとも１本内包して先端が保持部２２に係止されるベルト部２３と、フラットケーブル１２０をクランプ２０を介して被取付け部である自動車の車体等に設けられている取付穴に取付けるクリップ２４を有するアーム部２５とを備えている。
【００４２】
保持部２２はベース部２１の支持面２１ａに対して略直立して設けられている平板状の柱部材であり、フラットケーブル１２０の幅方向に１個設けられている。保持部２２の先端は、フラットケーブル１２０の絶縁被覆部１２２に設けられている係止穴１２３を図６および図７において下方から先端が突出する位置まで貫通し、先端に設けられている係止爪２２ａが上方に露出する。
なお、保持部２２の先端部に設けられている係止爪２２ａの向きは、少なくともベルト部２３とは反対側に突設されている。従って、図６および図７に示すように、保持部２２の先端の片側に設ければ足りるが、両側に設けるようにするとさらにベルト部２３が外れにくくなる。
【００４３】
ベース部２１の一方の側面には、ベルト部２３が設けられている。このベルト部２３は、首部２６によりベース部２１から上下に柔軟に変形自在となっており、ベルト部２３の先端には、保持部２２の先端が貫通して係止爪２２ａにより係止するための切欠き２７が設けられている。
従って、図８に示すように、ベース部２１に載置されたフラットケーブル１２０の電線１２１を２本内包するようにベルト部２３を電線１２１に巻きつけて、ベルト部２３の先端を保持部２２の先端部により係止する。
なお、ベルト部２３により把持する電線１２１は少なくとも１本あればよいので、図９に示すように、１本の電線１２１のみをベルト部２３によって把持するようにしてもよい。
【００４４】
なお、図６および図７においては、フラットケーブル１２０の長手方向に２組の保持部２２が設けられているが、長手方向の組数は問わない。また、保持部２２の長手方向の組数に応じて、フラットケーブル１２０の係止穴１２３の長さが決定される。ここでは、２組の保持部２２が係止できる長さとなっているが、各保持部２２が別個に係止されるようにしてもよい。
【００４５】
従って、図７に示されている場合に、フラットケーブル１２０を上方へ引っ張ってクランプ２０から取り外そうとしても、図８に示されているように、２本の電線１２１を把持しているベルト部２３が保持部２２の係止爪２２ａによって係止されていて外れない。
その結果、少なくとも１本以上の電線１２１がクランプ２０から外れないため、フラットケーブル１２０は全体として確実に保持された状態となる。
【００４６】
一方、ベース部２１の一方の側面２１ｂから舌状のアーム部２５が一体的に設けられている。アーム部２５の先端部下面には、クランプ２０を被取付け部の取付穴に取り付けるためのクリップ２４が取付けられている。
なお、クリップ２４の形状は被取付け部の取付穴の形状等に対応して決定されるが、すでに知られている種々のものを使用することができる。
【００４７】
以上、前述したフラットケーブル用クランプおよびフラットケーブルの支持方法によれば、複数本の電線１２１間を絶縁被覆部１２２で連結したフラットケーブル１２０の少なくとも１本の電線１２１が、クランプ２０の保持部２２および係止爪２２ａにより確実に保持されてクランプ２０から外れないので、確実にフラットケーブル１２０を保持することができる。
【００４８】
また、被取付部の取付穴に取り付けるクリップ２４が、アーム部２５の先端に設けられているので、フラットケーブル１２０を保持しているベース部２１の位置が取付位置から多少ずれていても、アーム部２５が誤差を吸収する。
このため、フラットケーブル１２０に所定ピッチで複数のクランプ２０に取付けて構成されているワイヤハーネス１５ｂの配策を容易に行うことができる。
【００４９】
なお、本発明のフラットケーブル用クランプおよびフラットケーブルの支持方法並びにワイヤハーネスは、前述した各実施形態に限定されるものでなく、適宜な変形、改良等が可能である。
例えば、前述した各実施形態においては、フラットケーブル１２０を構成する電線１２１が３本の場合について説明したが、４本以上の場合でも、少なくとも１本の電線１２１を確実に保持するようにすることにより、全く同様に考えることができる。
【００５０】
【発明の効果】
以上、説明したように、本発明にかかるフラットケーブル用クランプによれば、請求項１に記載したように、フラットケーブルをクランプから一度に引き抜こうとすると、係止爪が電線に当たるため保持部を係止爪のない方向へ押して変形させようとするが、保持部の係止爪のない側面がとなりの電線に当接して移動することができない。このため、係止穴を貫通している保持部は係止穴から抜けることがなく、フラットケーブルを引っ張ったときに抜けない部分が少なくとも１箇所あるため、フラットケーブルは確実にクランプに支持されることになる。なお、クランプに設けられているクリップはベース部から張り出すアーム部の下面に設けられているため、クリップ取付位置が調整可能となり、被取付け部の取付穴の位置からずれている場合でも、アーム部が変形して被取付け部に取り付けることができる。
【００５１】
また、本発明にかかるフラットケーブル用クランプによれば、請求項３に記載したように、フラットケーブルをクランプから一度に引き抜こうとすると、少なくとも１本の電線がベルト部により保持されて外れないため、フラットケーブルがクランプから脱落するのを防止することができる。なお、クランプに設けられているクリップはベース部から張り出すアーム部の下面に設けられているため、クリップ取付位置が調整可能となり、被取付け部の取付穴の位置からずれている場合でも、アーム部が変形して被取付け部に取り付けることができる。
【００５２】
また、本発明にかかるフラットケーブルの支持方法によれば、請求項４に記載したように、フラットケーブルに何らかの理由で引っ張り力が作用してクランプから取り外そうとしても、保持部の先端に設けられている係止爪により係止されるので、フラットケーブルは脱落しない。さらに強く引っ張り力が作用すると、フラットケーブルが係止爪を介して保持部を変形させようとするが、保持部において係止爪が設けられていない側面が隣の電線に当接して保持部の変形を阻止するので、保持部は係止穴から外れない。また、クランプを介してフラットケーブルを被取付け部に取付ける際には、ベース部から張り出しているアーム部の先端下面に設けられているクリップを被取付け部の取付穴に取付けるので、フラットケーブルに取付けられているクランプのクリップ位置が、被取付け部の取付穴からずれていても、アームの変形により容易に取付けることができる。
【００５３】
また、本発明にかかるフラットケーブルの支持方法によれば、請求項６に記載したように、フラットケーブルに何らかの理由で引っ張り力が作用してクランプから取り外そうとしても、ベルト部が少なくとも１本の電線を保持しているので、フラットケーブルは外れない。また、クランプを介してフラットケーブルを被取付け部に取付ける際には、ベース部から張り出しているアーム部の先端下面に設けられているクリップを被取付け部の取付穴に取付けるので、フラットケーブルに取付けられているクランプのクリップ位置が、被取付け部の取付穴からずれていても、アームの変形により容易に取付けることができる。
【００５４】
また、本発明にかかるワイヤハーネスよれば、請求項７に記載したように、一旦フラットケーブルの係止穴にクランパを取付けると、フラットケーブルを引っ張ってもクランパは外れないので、所定ピッチで複数設けられているクランパのクリップを被取付け部の取付穴に取付けることにより、ワイヤハーネスの配策を確実に行うことができる。
【図面の簡単な説明】
【図１】本発明に係るフラットケーブル用クランプおよびフラットケーブルの支持方法並びにワイヤハーネスの第１実施形態を示す分解斜視図である。
【図２】本発明に係るフラットケーブル用クランプおよびフラットケーブルの支持方法並びにワイヤハーネスの第１実施形態を示す斜視図である。
【図３】（Ａ）は図２中、ＩＩＩ−ＩＩＩ位置の断面図であり、（Ｂ）は、（Ａ）においてＢ方向から見た平面図である。
【図４】保持部が電線を保持する原理を示す断面図である。
【図５】（Ａ）から（Ｃ）は、保持部における係止爪の向きの別の例を示す断面図である。
【図６】本発明に係るフラットケーブル用クランプおよびフラットケーブルの支持方法並びにワイヤハーネスの第２実施形態を示す分解斜視図である。
【図７】本発明に係るフラットケーブル用クランプおよびフラットケーブルの支持方法並びにワイヤハーネスの第２実施形態を示す斜視図である。
【図８】図７において、ＶＩＩＩ−ＶＩＩＩ位置における断面図である。
【図９】別の位置例に設けられている保持部を示す断面図である。
【図１０】従来より知られているフラットケーブルのクランプおよびフラットケーブルの支持方法を示す斜視図である。
【符号の説明】
１０、２０　クランプ
１１、２１　ベース部
１２、２２　保持部
１２ａ、２２ａ　係止爪
１２ｂ　凸部
１３、２４　クリップ
１４、２５　アーム部
１５ａ、１５ｂ　ワイヤハーネス
２３　ベルト部
１２０　フラットケーブル
１２１　電線
１２２　絶縁被覆部
１２３　係止穴
【図１】
2004104964.tif 000003
【図２】
2004104964.tif 000004
【図３】
2004104964.tif 000005
【図４】
2004104964.tif 000006
【図５】
2004104964.tif 000007
【図６】
2004104964.tif 000008
【図７】
2004104964.tif 000009
【図８】
2004104964.tif 000010
【図９】
2004104964.tif 000011
【図１０】
2004104964.tif 000012